【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】
吸水性樹脂とアミノ酢酸系キレート剤とを含む粒子状の吸水性樹脂組成物であって、前記吸水性樹脂がアクリル酸および／またはその塩からなる群から選ばれる単量体成分を主成分とする親水性単量体を重合することにより得られるポリアクリル酸部分中和物架橋体であり、前記アミノ酢酸系キレート剤の配合量が前記吸水性樹脂に対して１０ｐｐｍ以上であり、かつ、前記組成物中のニトリロトリ酢酸およびその塩の含有量が前記組成物に対して１ｐｐｍ以下であることを特徴とする吸水性樹脂組成物。
【請求項２】
前記アミノ酢酸系キレート剤の配合量が前記吸水性樹脂に対して１０〜１０００ｐｐｍであり、かつ、前記組成物中のニトリロトリ酢酸およびその塩の含有量が前記アミノ酢酸系キレート剤に対して１０００ｐｐｍ以下である請求項１に記載の吸水性樹脂組成物。
【請求項３】
０．９重量％塩化ナトリウム水溶液に対する無荷重下吸収倍率が３０ｇ／ｇ以上、劣化可溶性成分溶出量が２０重量％以下、０．９重量％塩化ナトリウム水溶液に対する１．９ｋＰａ荷重下吸収倍率が２８ｇ／ｇ以上、着色度が２６以下である、請求項１または２に記載の吸水性樹脂組成物。
【請求項４】
水溶性消臭剤をも配合してなる、請求項１から３までのいずれかに記載の吸水性樹脂組成物。
【請求項５】
悪臭低減率が４０％以上である、請求項４に記載の吸水性樹脂組成物。
【請求項６】
吸水性樹脂と水溶性消臭剤とを含み、前記吸水性樹脂がアクリル酸および／またはその塩からなる群から選ばれる単量体成分を主成分とする親水性単量体を重合することにより得られるポリアクリル酸部分中和物架橋体であり、無荷重下吸収倍率が３０ｇ／ｇ以上、劣化可溶性成分溶出量が２０重量％以下、１．９ｋＰａ荷重下吸収倍率が２８ｇ／ｇ以上、悪臭低減率が４０％以上である、粒子状の吸水性樹脂組成物。
【請求項７】
さらにアミノ酢酸系キレート剤を前記吸水性樹脂に対して１ｐｐｍ〜１０重量％含む、請求項６に記載の吸水性樹脂組成物。
【請求項８】
着色度が２６以下である、請求項７に記載の吸水性樹脂組成物。
【請求項９】
前記水溶性消臭剤は、その配合量が前記吸水性樹脂に対して１ｐｐｍ〜１０重量％であり、かつ、室温で、脱イオン水１００ｇに対して、０．１ｇ以上溶解しうるものである、請求項４から８までのいずれかに記載の吸水性樹脂組成物。
【請求項１０】
前記水溶性消臭剤はツバキ科植物の葉からの抽出物である、請求項４から９までのいずれかに記載の吸水性樹脂組成物。
【請求項１１】
前記水溶性消臭剤は、酢酸、クエン酸、乳酸、鉄クロロフィリンナトリウム、銅クロロフィリンナトリウム、シクロデキストリンおよびフラボノイド化合物からなる群から選ばれる、請求項４から９までのいずれかに記載の吸水性樹脂組成物。
【請求項１２】
前記吸水性樹脂粒子の表面近傍がさらに架橋されている、請求項１から１１までのいずれかに記載の吸水性樹脂組成物。
【請求項１３】
重量平均粒子径が１００〜６００μｍの範囲内である、請求項１から１２までのいずれかに記載の吸水性樹脂組成物。
【請求項１４】
前記吸水性樹脂の配合量が前記吸水性樹脂組成物に対して７５重量％以上である、請求項１から１３までのいずれかに記載の吸水性樹脂組成物。
【請求項１５】
前記アミノ酢酸系キレート剤が前記吸水性樹脂の表面に固定されている、請求項１から１４までのいずれかに記載の吸水性樹脂組成物。
【請求項１６】
請求項１から１５までのいずれかに記載の吸水性樹脂組成物を含んでなる衛生材料である吸収物品。
【請求項１７】
前記吸水性樹脂組成物および繊維基材を含む吸収層と、透液性を有する表面シートと、不透液性を有する背面シートとを備え、前記吸水性樹脂組成物と前記繊維基材の合計量に対する前記吸水性樹脂組成物の重量比が０．３〜１．０の範囲である、請求項１６に記載の吸収物品。
【手続補正２】
【補正対象書類名】明細書
【補正対象項目名】０００９
【補正方法】変更
【補正の内容】
【０００９】
以上により、本発明は、前述の課題を解決するため、以下の手段を採用しているのである。
（１）吸水性樹脂とアミノ酢酸系キレート剤とを含む粒子状の吸水性樹脂組成物であって、前記吸水性樹脂がアクリル酸および／またはその塩からなる群から選ばれる単量体成分を主成分とする親水性単量体を重合することにより得られるポリアクリル酸部分中和物架橋体であり、前記アミノ酢酸系キレート剤の配合量が前記吸水性樹脂に対して１０ｐｐｍ以上であり、かつ、前記組成物中のニトリロトリ酢酸およびその塩の含有量が前記組成物に対して１ｐｐｍ以下であることを特徴とする吸水性樹脂組成物。
（２）前記アミノ酢酸系キレート剤の配合量が前記吸水性樹脂に対して１０〜１０００ｐｐｍであり、かつ、前記組成物中のニトリロトリ酢酸およびその塩の含有量が前記アミノ酢酸系キレート剤に対して１０００ｐｐｍ以下である上記（１）に記載の吸水性樹脂組成物。
【手続補正３】
【補正対象書類名】明細書
【補正対象項目名】００１０
【補正方法】変更
【補正の内容】
【００１０】
（３）０．９重量％塩化ナトリウム水溶液に対する無荷重下吸収倍率が３０ｇ／ｇ以上、劣化可溶性成分溶出量が２０重量％以下、０．９重量％塩化ナトリウム水溶液に対する１．９ｋＰａ荷重下吸収倍率が２８ｇ／ｇ以上、着色度が２６以下である、上記（１）または（２）に記載の吸水性樹脂組成物。
（４）水溶性消臭剤をも配合してなる、上記（１）から（３）までのいずれかに記載の吸水性樹脂組成物。
（５）悪臭低減率が４０％以上である、上記（４）に記載の吸水性樹脂組成物。
（６）吸水性樹脂と水溶性消臭剤とを含み、前記吸水性樹脂がアクリル酸および／またはその塩からなる群から選ばれる単量体成分を主成分とする親水性単量体を重合することにより得られるポリアクリル酸部分中和物架橋体であり、無荷重下吸収倍率が３０ｇ／ｇ以上、劣化可溶性成分溶出量が２０重量％以下、１．９ｋＰａ荷重下吸収倍率が２８ｇ／ｇ以上、悪臭低減率が４０％以上である、粒子状の吸水性樹脂組成物。
（７）さらにアミノ酢酸系キレート剤を前記吸水性樹脂に対して１ｐｐｍ〜１０重量％含む、上記（６）に記載の吸水性樹脂組成物。
（８）着色度が２６以下である、上記（７）に記載の吸水性樹脂組成物。
（９）前記水溶性消臭剤は、その配合量が前記吸水性樹脂に対して１ｐｐｍ〜１０重量％であり、かつ、室温で、脱イオン水１００ｇに対して、０．１ｇ以上溶解しうるものである、上記（４）から（８）までのいずれかに記載の吸水性樹脂組成物。
（１０）前記水溶性消臭剤はツバキ科植物の葉からの抽出物である、上記（４）から（９）までのいずれかに記載の吸水性樹脂組成物。
（１１）前記水溶性消臭剤は、酢酸、クエン酸、乳酸、鉄クロロフィリンナトリウム、銅クロロフィリンナトリウム、シクロデキストリンおよびフラボノイド化合物からなる群から選ばれる、上記（４）から（９）までのいずれかに記載の吸水性樹脂組成物。
（１２）前記吸水性樹脂粒子の表面近傍がさらに架橋されている、上記（１）から（１１）までのいずれかに記載の吸水性樹脂組成物。
（１３）重量平均粒子径が１００〜６００μｍの範囲内である、上記（１）から（１２）までのいずれかに記載の吸水性樹脂組成物。
（１４）前記吸水性樹脂の配合量が前記吸水性樹脂組成物に対して７５重量％以上である、上記（１）から（１３）までのいずれかに記載の吸水性樹脂組成物。
（１５）前記アミノ酢酸系キレート剤が前記吸水性樹脂の表面に固定されている、上記（１）から（１４）までのいずれかに記載の吸水性樹脂組成物。
（１６）上記（１）から（１５）までのいずれかに記載の吸水性樹脂組成物を含んでなる衛生材料である吸収物品。
（１７）前記吸水性樹脂組成物および繊維基材を含む吸収層と、透液性を有する表面シートと、不透液性を有する背面シートとを備え、前記吸水性樹脂組成物と前記繊維基材の合計量に対する前記吸水性樹脂組成物の重量比が０．３〜１．０の範囲である、上記（１６）に記載の吸収物品。